(57)【要約】　　　（修正有）【課題】外出の少ない老人や、デスクワークや旅行などで行動が制限される人に適した健康器具や更に足が弱くなった人々に適した健康器具を提供する。【解決手段】踏み板と支持部を回転軸によって連結し踏み板の両端がシーソー運動をするようにし、左右の足を踏み板に乗せることによって左右の足を交互に動かすことを可能とする。軸受部を溝型に構成することにより、踏み板のみを容易に交換することができるようにする。足裏のつぼに適合する種々の形状の踏み座を設ける。踏み板または踏み板が床面に直接あたらないように設けた受け板にクッション材を取り付け、踏み板の当たる音を吸収させ、踏んだ時の感触の悪さを改善する。踏み板に踏み座の支持部材を取り付け踏み座をピンでその支持部材に連結することにより、踏み座がそれぞれ足裏の面に倣うようにする。【選択図】図１
0003099281.tif 000002
【実用新案登録請求の範囲】
【請求項１】
　踏み板と支持部を備え、その支持部に軸受部を設け、踏み板と支持部とを回転軸をもって連結し、踏み板の一端を踏むと反対側があがるようにしたことを特徴とする健康器具。
【請求項２】
　踏み板の床面に当たる部分にクッション材を設けたことを特徴とする請求項１記載の健康器具。
【請求項３】
　踏み板が下がったときに当たる受け板を設け、踏み板と受け板に挟まれるクッション材を踏み板か受け板のいずれかに設けたことを特徴とする請求項１記載の健康器具。
【請求項４】
　支持部の床に接する部分に滑り止めを備えたことを特徴とする請求項１から請求項３記載の健康器具。
【請求項５】
　軸受部が支持部の一部に溝を設けた構造によって構成されていることを特徴とする請求項１から請求項４記載の健康器具。
【請求項６】
　踏み板に足裏のつぼを押し圧する形状の踏み座を設けたことを特徴とする請求項１から請求項５記載の健康器具。
　
【請求項７】
　踏み板に踏み座の支持部材を取り付け踏み座の可動ピンよって踏み座を踏み板に接続し、踏み座を踏んだときの踏み座の角度が足裏面に倣うようにしたことを特徴とする請求項１から請求項６記載の健康器具。
【考案の詳細な説明】
【技術分野】
【０００１】
　本考案は、主として下肢の運動に用いる健康器具に関するものである。
【背景技術】
【０００２】
　散歩などにより下肢の運動をすることが、健康に不可欠であることはよく知られている。しかし、外出の少ない老人、あるいはデスクワークや旅行中など行動が制限されている中にあっては、下肢の運動をすることが少なくなること否めない。更に、歩行して運動することができないまでに足が弱くなった人も多数存在する。
【０００３】
運動をするための健康機具は従来より販売されているが、これらの外出の少ない人々や、デスクワークや旅行中などの行動が制限される条件に適したもの、あるいはさらに足が弱くなっている人々に適した健康器具は実生活の中でほとんど見かけないのが現状である。
【０００４】
また足裏にはそこを刺激すると健康によい効果のあるつぼが存在することが知られている。青竹踏みその他種々の形状の、立ってその上に乗り足踏みをする形式の健康器具は従来より存在するが、体力の不足な人々には適さず、
また踏むと極めて痛いなどの苦痛が伴って実用する人は少ない。
【特許文献１】特開２００３−００００００号公報
【非特許文献１】特許一郎著　「ハンドスキャナのいろいろ」特許出版　２００３年
【考案の開示】
【考案が解決しようとする課題】
【０００５】
　解決しようとする問題点は、外出の少ない老人や、デスクワークや旅行などで行動が制限される人に適した健康器具や更に足が弱く
なった人々に適した健康器具が存在していなかった点である。
【０００６】
簡易軽量の運動のための健康器具にあっては、家庭、職場、飛行機中などでこれを踏むとき騒音がしてはならない。踏み板を踏み込んだ
とき、踏み板の硬い面が床面に直接当たると、衝撃があり踏んだ時の感触が悪い。
【０００７】
また軽量であると踏んだとき安定せず、運道具そのものが踏んでいる位置からずれてしまう問題がある。足裏のつぼに合わせ種々の形状の踏み座を選択するためには多数の運道具を購入する必要がある。踏み板を踏んだとき、踏み板が傾斜して足裏の面に対して斜めに当たることも問題である。
【課題を解決するための手段】
【０００８】
　本考案は、踏み板と支持部を回転軸によって連結して踏み板がシーソー運動をするようにし、左右の足を踏み板に乗せることによって左右の足を交互に動かすことを可能とするものである。椅子に腰を掛ける等の姿勢でこれを踏むことにより、軽度の運動をなすことができ、下肢に鬱積している血液を歩行と同様の効果で循環促進させることができるようにする。
【０００９】
また適宜の形状を選択し押し圧を加減することにより足裏のつぼを刺激する。軸受部を溝型に構成することにより、踏み板のみを容易に交換することができるため種々の形状の踏み座を選択することができるようにする。簡易軽量の運道のための健康器具にあっては、家庭、職場、飛行機中などでこれを踏むとき騒音がしてはならないが、踏み板または踏み板が床面に直接当たらないように設けた受け板にクッション材を取り付け、踏み板の当たる音を吸収させ、踏んだ時の感触の悪さを改善する。
【００１０】
また踏み板に踏み座の支持部材を取り付け踏み座をピンでその支持部材に連結することにより、踏み座がそれぞれ足裏の面に倣うようにする。
【考案の効果】
【００１１】
　本考案の健康器具は、軽量かつ小さいものであって、老人のような弱者も容易に取り扱うことができる。また、オフィスのデスクワーク中などにも机の下に置くことができ利用することができる。旅行などにも携行可能である利点がある。
【００１２】
　家庭や、デスクワークや旅行中にこれを踏むことにより、下肢に鬱積している血液を歩行中と同様に循環させることができ、健康に寄与することができる利点がある。
【００１３】
　クッション材の床面あるいは踏み板が当たる受け板との間に挟まれ、衝撃を吸収して踏んだ感触が快適であり、かつ騒音を抑制できる利点がある。また、種々の形状の踏み座を設けることにより、足裏のつぼの刺激を、好みに合わせて選択することができる利点がある。
【００１４】
　また踏み板に踏み座の支持部材を取り付け踏み座をピンでその支持部材に連結したために、踏み座がそれぞれ足裏の面に倣い、踏んだときの感触がさらに改善される利点がある。
【００１５】
　実施例はそれぞれ特徴を有するが、いずれも椅子に座る姿勢で運動することが可能であり、運動効果ならびにつぼ刺激による健康器具としての効果が認められた。
【考案を実施するための最良の形態】
【００１６】
　本考案の構成素材は、木、プラスチック、金属いずれでもよいが、足の接触する部分は木製、ゴム、弾力性のあるプラスチックなどが望ましい。本体は家庭用には木製がよい。携行用には、アルミ合金、チタン合金、ＦＲＰなどを使用すると素材の強度が強いため、踏み座以外の部分のサイズを一層小さくすることが可能である。クッション材は、ゴムまたは弾力性のあるプラスチック類が採用される。
【００１７】
　滑り止めに使用される素材は、プラスチック製あるいはゴム製のものが市販されている。踏み座は足の大きさに適したものでなければならない。
【００１８】
　つぼ刺激の効果を得るものは短時間むきであり、平面またはゆるい曲面の踏み座を有するものは、長時間の運動に適する。これらの選択により、考案の効果を十分に発揮することができる。
【実施例１】
【００１９】
　図１に本考案の実施例の正面図を、図２に本考案の実施例の平面図を、図３に本考案の実施例の側面図を示す。支柱３とベース５によって支持部を構成した。支柱３の上端に溝を設けて軸受部３ａとした。踏み板１の両端付近の下部にクッション材７を取り付けた。踏み板の両端にウレタンゴム製のクッション材７を取り付けた。踏み板にステンレス鋼製の棒を通して取り付け回転軸８とした。
【００２０】
　本考案の基本形であって、長時間の運動が可能であった。
【実施例２】
【００２１】
　図４に本考案の第２の実施例の正面図を、図５に本考案の第２の実施例の平面図を、図６に本考案の第２の実施例の側面図を示す。一対の支柱３を３本の支柱固定棒３ｂで連結して支持部とした。また踏み板の両端付近の上部にウレタンゴム製でいぼ状の突起のある踏み座２を設けた。また支柱３の床面に当たる部分に滑り止め６を取り付けた。１、３ａ、７、８の要素名は実施例１と同一である。
【００２２】
　踏み座２いぼ状の突起が足裏を刺激し、つぼ刺激の効果が得られた。
【実施例３】
【００２３】
　図７に本考案の第３の実施例の正面図を、図８に本考案の第３の実施例の平面図を、図９に本考案の第３の実施例の側面図を示す。本実施例は、踏み板１が下がったときに当たる受け板４を設けている。またベース５を一対の長い板で構成し側方の負荷に対する安定をはかった。１〜３、３ａ、５〜８の要素名は実施例１および実施例２と同一である。踏み座２に球面を採用した。
【００２４】
　本実施例も、球面が足裏を刺激し、つぼ刺激の効果が得られた。
【実施例４】
【００２５】
　図１０に本考案の第４の実施例の正面図を、図１１に本考案の第４の実施例の平面図を、図１２に本考案の第４の実施例の側面図を示す。本実施例は、緩やかな局面からなる踏み座２を使用した。またクッション材７を受け板４に配設した。ベース５と滑り止め６は実施例３と同一である。本実施例の特徴はつぼ刺激効果は少なく、足裏が痛くならないため長時間踏むことができる。
１〜８の要素名はこれまでの実施例と同一である。
【実施例５】
【００２６】
　図１３に本考案の第５の実施例の正面図を、図１４に本考案の第５の実施例の平面図を、図１５に本考案の第５の実施例の側面図を示す。本実施例は、踏み座２を球形状とし踏み板１への取り付けを簡易にしたものである。本実施例は実施例３と同一の効果が得られた。１〜８の要素名はこれまでの実施例と同一である。
【実施例６】
【００２７】
　図１６に本考案の第６の実施例の正面図を、図１７に本考案の第６の実施例の平面図を、図１８に本考案の第６の実施例の側面図を示す。本実施例は、踏み座２をを支持する踏み座の支持部材１０を踏み板１の両側面に取り付け、踏み座２に踏み座の可動ピンを配設して踏み座の支持部材に取り付けることにより、踏み板が上下しても踏み座２の面が常に足裏の面に倣うようにしたものである。踏み座２の面には小さな多数の半球状の凹凸を有するウレタンゴムを採用した。また回転軸８を軸受１１を介して支柱３に取り付けた。　１〜８の要素名はこれまでの実施例と同一である。
【００２８】
　本実施例は踏み板１を踏んだ場合に踏み座２の面が足裏に倣うため踏みやすい。従って長時間の運動に適したものとなった。
【産業上の利用可能性】
【００２９】
　本考案の健康器具は、以上述べたように、老人や、オフィスのデスクワークの人、旅行中の人などがこれを使用して運動することにより健康に寄与することができる利点があるため、社会に貢献するものである。
【図面の簡単な説明】
【００３０】
【図１】本考案の実施例の正面図である。（実施例１）
【図２】本考案の実施例の平面図である。（実施例１）
【図３】本考案の実施例の側面図である。（実施例１）
【図４】本考案の第２の実施例の正面図である。
【図５】本考案の第２の実施例の平面図である。
【図６】本考案の第２の実施例の側面図である。
【図７】本考案の第３の実施例の正面図である。
【図８】本考案の第３の実施例の平面図である。
【図９】本考案の第３の実施例の側面図である。
【図１０】本考案の第４の実施例の正面図である。
【図１１】本考案の第４の実施例の平面図である。
【図１２】本考案の第４の実施例の側面図である。
【図１３】本考案の第５の実施例の正面図である。
【図１４】本考案の第５の実施例の平面図である。
【図１５】本考案の第５の実施例の側面図である。
【図１６】本考案の第６の実施例の正面図である。
【図１７】本考案の第６の実施例の平面図である。
【図１８】本考案の第６の実施例の側面図である。
【符号の説明】
【００３１】
　　１　　踏み板
　　２　　踏み座
　　３　　支柱
　　３ａ　軸受部
　　３ｂ　支柱固定棒
　　４　　受け板
　　５　　ベース
　　６　　滑り止め
　　７　　クッション材
　　８　　回転軸
　　９　　踏み座の可動ピン
　１０　　踏み座の支持部材
　１１　　軸受
【図１】
0003099281.tif 000003
【図２】
0003099281.tif 000004
【図３】
0003099281.tif 000005
【図４】
0003099281.tif 000006
【図５】
0003099281.tif 000007
【図６】
0003099281.tif 000008
【図７】
0003099281.tif 000009
【図８】
0003099281.tif 000010
【図９】
0003099281.tif 000011
【図１０】
0003099281.tif 000012
【図１１】
0003099281.tif 000013
【図１２】
0003099281.tif 000014
【図１３】
0003099281.tif 000015
【図１４】
0003099281.tif 000016
【図１５】
0003099281.tif 000017
【図１６】
0003099281.tif 000018
【図１７】
0003099281.tif 000019
【図１８】
0003099281.tif 000020
【手続補正書】
【提出日】平成15年7月17日(2003.7.17)
【手続補正１】
【補正対象書類名】明細書
【補正対象項目名】０００４
【補正方法】変更
【補正の内容】
【０００４】
　また足裏にはそこを刺激すると健康によい効果のあるつぼが存在することが知られている。青竹踏みその他種々の形状の、立ってその上に乗り足踏みをする形式の健康器具は従来より存在するが、体力の不足な人々には適さず、
また踏むと極めて痛いなどの苦痛が伴って実用する人は少ない。
【特許文献１】特開平１０−２０１８７７号公報